(57)【特許請求の範囲】
【請求項１】
入力された商品コードに基づいて商品販売処理する商品販売データ処理装置において、
クーポン値引き対象商品の商品コードと値引き額とを有するクーポン値引き情報を複数含んでクーポン券として機能する２次元コードを読み取る２次元コード読取手段と、
入力された前記商品コードが、前記２次元コード読取手段により読み取られた前記２次元コードに含まれる少なくとも１以上の前記クーポン値引き対象商品の商品コードに該当するか否かを照合するクーポン値引き照合手段と、
このクーポン値引き照合手段による照合の結果、入力された前記商品コードが、前記２次元コード読取手段により読み取られた前記２次元コードに含まれる前記クーポン値引き対象商品の商品コードの何れか一に該当すると判断した場合、前記クーポン値引き対象商品について前記値引き額を値引くクーポン値引き手段と、
を備えることを特徴とする商品販売データ処理装置。
【請求項２】
表示部に各種データを表示可能な携帯型電子端末において、
クーポン値引き対象商品の商品コードと値引き額とを有するクーポン値引き情報を少なくとも1以上記憶するクーポン情報記憶エリアと、
前記クーポン情報記憶エリアに記憶したクーポン値引き情報を複数組合せた２次元コードを作成する２次元コード作成手段と、
この２次元コード作成手段により作成された前記２次元コードを表示部に表示させる２次元コード表示手段と、
を備えることを特徴とする携帯型電子端末。
【請求項３】
請求項１記載の商品販売データ処理装置と、
請求項２記載の携帯型電子端末と、
を備えることを特徴とする商品販売システム。
【請求項４】
入力された商品コードに基づいて商品販売処理する商品販売データ処理装置と、表示部に各種データを表示可能な携帯型電子端末と、を備える商品販売システムにおいて用いられ、プロセッサ演算処理により実現されるクーポン値引き方法であって、
前記携帯型電子端末の表示部にクーポン値引き対象商品の商品コードと値引き額とを有するクーポン値引き情報を複数含んでクーポン券として機能する２次元コードを表示させる２次元コード表示制御工程と、
前記携帯型電子端末の表示部に表示されている前記２次元コードをコード読取装置を用いて読み取る２次元コード読取制御工程と、
前記商品販売データ処理装置で入力された前記商品コードが、前記２次元コード読取制御工程により読み取られた前記２次元コードに含まれる少なくとも１以上の前記クーポン値引き対象商品の商品コードに該当するか否かを照合するクーポン値引き照合制御工程と、
このクーポン値引き照合制御工程による照合の結果、入力された前記商品コードが、前記２次元コード読取制御工程により読み取られた前記２次元コードに含まれる前記クーポン値引き対象商品の商品コードの何れか一に該当すると判断した場合、前記クーポン値引き対象商品について前記値引き額を値引くクーポン値引き制御工程と、
を含んでなることを特徴とするクーポン値引き方法。
【請求項５】
入力された商品コードに基づいて商品販売処理する商品販売データ処理装置が備えるコンピュータを制御するプログラムであって、
クーポン値引き対象商品の商品コードと値引き額とを有するクーポン値引き情報を複数含んでクーポン券として機能する２次元コードを読み取る２次元コード読取機能と、
入力された前記商品コードが、前記２次元コード読取機能により読み取られた前記２次元コードに含まれる少なくとも１以上の前記クーポン値引き対象商品の商品コードに該当するか否かを照合するクーポン値引き照合機能と、
このクーポン値引き照合機能による照合の結果、入力された前記商品コードが、前記２次元コード読取機能により読み取られた前記２次元コードに含まれる前記クーポン値引き対象商品の商品コードの何れか一に該当すると判断した場合、前記クーポン値引き対象商品について前記値引き額を値引くクーポン値引き機能と、
を前記コンピュータに実行させることを特徴とするプログラム。
【発明の詳細な説明】
【０００１】
【発明の属する技術分野】
本発明は、商品販売データ処理装置、携帯型電子端末、商品販売システム、クーポン値引き方法及びプログラムに関する。
【０００２】
【従来の技術】
従来よりスーパーマーケットやコンビニエンスストア等においては、販売促進のために、金券であるクーポン券を発行している。このクーポン券は、精算時に回収され、ＰＯＳ（Point of Sales：販売時点管理）端末等において当該クーポン券の対象商品から所定金額を値引くようにしている。
【０００３】
このようなクーポン券は発行店舗や発行チェーンのみで使用できるものが多く、クーポン券の発行は店舗やチェーンとしてみれば非常に有効な販売促進手法となっている。
【０００４】
また、近年においては、通信機能を有するＰＤＡ（Personal Digital Assistants）と称される個人用の携帯用情報端末や携帯電話が急速に普及してきている。これら携帯用情報端末や携帯電話においては、ブラウジング機能などのインターネットに対する操作のための特殊な機能が搭載されていることを条件に、無線または有線でのインターネットへの接続が可能になっており、さまざまなサービスの提供を受けることが可能となっている。
【０００５】
例えば、携帯電話等に提供されるサービスの１つとして、前述したようなクーポン券を携帯電話等の画面に表示させて提示することにより、当該クーポン券の対象商品から所定金額を値引くようなクーポンサービスが考えられている。特に、クーポン券をバーコード化して画面に表示するようにしたものについては、ＰＯＳ端末等において読み取るだけで値引処理が可能になることから、非常に有用である。
【０００６】
このような携帯電話等を利用したクーポンサービスによれば、各種のクーポン券を財布等に入れて持ち歩く必要がなくなるとともに、クーポン券をなくすこともないことから、今後広く普及していく見込みである。
【０００７】
【発明が解決しようとする課題】
ところが、携帯電話等を利用したクーポンサービスにおいては、多数のメーカーや小売流通チェーン等がクーポン券をそれぞれ発行するため、所望のクーポン券を画面に表示するには、ある程度のキー操作を経なければならない。特に、異なる２つ以上のクーポン券を同時に利用したい場合においては、異なるクーポン画面を続けて表示しなければならず、操作が面倒なものとなっている。
【０００８】
本発明の目的は、クーポン値引き対象商品の商品コードと値引き額とを有するクーポン値引き情報の読取作業にかかる時間を短縮し、業務効率の向上を図ることである。
【０００９】
【課題を解決するための手段】
請求項１記載の発明は、入力された商品コードに基づいて商品販売処理する商品販売データ処理装置において、クーポン値引き対象商品の商品コードと値引き額とを有するクーポン値引き情報を複数含んでクーポン券として機能する２次元コードを読み取る２次元コード読取手段と、入力された前記商品コードが、前記２次元コード読取手段により読み取られた前記２次元コードに含まれる少なくとも１以上の前記クーポン値引き対象商品の商品コードに該当するか否かを照合するクーポン値引き照合手段と、このクーポン値引き照合手段による照合の結果、入力された前記商品コードが、前記２次元コード読取手段により読み取られた前記２次元コードに含まれる前記クーポン値引き対象商品の商品コードの何れか一に該当すると判断した場合、前記クーポン値引き対象商品について前記値引き額を値引くクーポン値引き手段と、を備える。
【００１０】
したがって、クーポン券として機能する２次元コードにはクーポン値引き対象商品の商品コードと値引き額とを有するクーポン値引き情報が少なくとも１以上含まれており、読み取られた２次元コードに含まれるクーポン値引き対象商品の商品コードと入力された商品コードとが照合され、読み取られた２次元コードに含まれるクーポン値引き対象商品の商品コードの何れか一に入力された商品コードが該当すると判断された場合に、値引きが実行される。これにより、たとえ複数のクーポン値引き情報を有している場合であっても一回の読取動作でクーポン値引きが可能になるので、クーポン値引き情報の読取作業にかかる時間が短縮され、業務効率の向上を図ることが可能になる。
【００１１】
請求項２記載の発明は、表示部に各種データを表示可能な携帯型電子端末において、クーポン値引き対象商品の商品コードと値引き額とを有するクーポン値引き情報を少なくとも1以上記憶するクーポン情報記憶エリアと、前記クーポン情報記憶エリアに記憶したクーポン値引き情報を複数組合せた２次元コードを作成する２次元コード作成手段と、この２次元コード作成手段により作成された前記２次元コードを表示部に表示させる２次元コード表示手段と、を備える。
【００１２】
したがって、複数のクーポン値引き情報が組み合わされて一つの２次元コードとして作成され、表示部に表示されることにより、この２次元コードを読み取るだけで全てのクーポン値引き情報を取得することが可能になるので、クーポン値引き情報の読取作業にかかる時間が短縮され、業務効率の向上を図ることが可能になる。
【００１３】
請求項３記載の発明の商品販売システムは、請求項１記載の商品販売データ処理装置と、請求項２記載の携帯型電子端末と、を備える。
【００１４】
したがって、携帯型電子端末の表示部に表示された２次元コードにはクーポン値引き対象商品の商品コードと値引き額とを有するクーポン値引き情報が少なくとも１以上含まれており、読み取られた２次元コードに含まれるクーポン値引き対象商品の商品コードと入力された商品コードとが照合され、読み取られた２次元コードに含まれるクーポン値引き対象商品の商品コードの何れか一に入力された商品コードが該当すると判断された場合に、値引きが実行される。これにより、たとえ複数のクーポン値引き情報を有している場合であっても一回の読取動作でクーポン値引きが可能になるので、クーポン値引き情報の読取作業にかかる時間が短縮され、業務効率の向上を図ることが可能になる。
【００１５】
請求項４記載の発明は、入力された商品コードに基づいて商品販売処理する商品販売データ処理装置と、表示部に各種データを表示可能な携帯型電子端末と、を備える商品販売システムにおいて用いられ、プロセッサ演算処理により実現されるクーポン値引き方法であって、前記携帯型電子端末の表示部にクーポン値引き対象商品の商品コードと値引き額とを有するクーポン値引き情報を複数含んでクーポン券として機能する２次元コードを表示させる２次元コード表示制御工程と、前記携帯型電子端末の表示部に表示されている前記２次元コードをコード読取装置を用いて読み取る２次元コード読取制御工程と、前記商品販売データ処理装置で入力された前記商品コードが、前記２次元コード読取制御工程により読み取られた前記２次元コードに含まれる少なくとも１以上の前記クーポン値引き対象商品の商品コードに該当するか否かを照合するクーポン値引き照合制御工程と、このクーポン値引き照合制御工程による照合の結果、入力された前記商品コードが、前記２次元コード読取制御工程により読み取られた前記２次元コードに含まれる前記クーポン値引き対象商品の商品コードの何れか一に該当すると判断した場合、前記クーポン値引き対象商品について前記値引き額を値引くクーポン値引き制御工程と、を含んでなる。
【００１６】
したがって、携帯型電子端末の表示部に表示された２次元コードにはクーポン値引き対象商品の商品コードと値引き額とを有するクーポン値引き情報が少なくとも１以上含まれており、読み取られた２次元コードに含まれるクーポン値引き対象商品の商品コードと入力された商品コードとが照合され、読み取られた２次元コードに含まれるクーポン値引き対象商品の商品コードの何れか一に入力された商品コードが該当すると判断された場合に、値引きが実行される。これにより、たとえ複数のクーポン値引き情報を有している場合であっても一回の読取動作でクーポン値引きが可能になるので、クーポン値引き情報の読取作業にかかる時間が短縮され、業務効率の向上を図ることが可能になる。
【００１７】
請求項５記載の発明は、入力された商品コードに基づいて商品販売処理する商品販売データ処理装置が備えるコンピュータを制御するプログラムであって、クーポン値引き対象商品の商品コードと値引き額とを有するクーポン値引き情報を複数含んでクーポン券として機能する２次元コードを読み取る２次元コード読取機能と、入力された前記商品コードが、前記２次元コード読取機能により読み取られた前記２次元コードに含まれる少なくとも１以上の前記クーポン値引き対象商品の商品コードに該当するか否かを照合するクーポン値引き照合機能と、このクーポン値引き照合機能による照合の結果、入力された前記商品コードが、前記２次元コード読取機能により読み取られた前記２次元コードに含まれる前記クーポン値引き対象商品の商品コードの何れか一に該当すると判断した場合、前記クーポン値引き対象商品について前記値引き額を値引くクーポン値引き機能と、を前記コンピュータに実行させる。
【００１８】
したがって、クーポン券として機能する２次元コードにはクーポン値引き対象商品の商品コードと値引き額とを有するクーポン値引き情報が少なくとも１以上含まれており、入力された商品コードと２次元コードに含まれるクーポン値引き対象商品の商品コードとが照合され、読み取られた２次元コードに含まれるクーポン値引き対象商品の商品コードの何れか一に入力された商品コードが該当すると判断された場合に、値引きが実行される。これにより、たとえ複数のクーポン値引き情報を有している場合であっても一回の読取動作でクーポン値引きが可能になるので、クーポン値引き情報の読取作業にかかる時間が短縮され、業務効率の向上を図ることが可能になる。
【００１９】
【発明の実施の形態】
本発明の第一の実施の形態を図１ないし図７に基づいて説明する。本実施の形態の商品販売システムは、概略的には、クーポン券を発行して、そのクーポン券が売上登録の際に提示された場合には対象商品から所定金額を値引くようなクーポンサービスを実施しているスーパーマーケット等で用いられるシステムである。
【００２０】
ここで、図１は商品販売システム１の全体構成を概略的に示すシステム構成図である。図１に示すように、商品販売システム１は、スーパーマーケット等の小売店舗に設けられるＰＯＳ（Point of Sales：販売時点管理）システム５を主体に構成されている。ＰＯＳシステム５は、商品販売データ処理装置であってスーパーマーケットのレジカウンターに設置される複数台のＰＯＳ端末２と、これらのＰＯＳ端末２をＬＡＮ（Local Area Network）３によって接続して集中管理するホストコンピュータ４とで構成されている。また、ＰＯＳシステム５を構成するホストコンピュータ４は、電話回線を経由して通信ネットワークであるインターネット網１００に接続可能とされており、インターネット上のＷＷＷ（World Wide Web）サーバとしても機能する。
【００２１】
また、インターネット網１００には、携帯電話網１０１がゲートウェイ１０２を介して接続されている。このようにインターネット網１００に接続される携帯電話網１０１で使用される携帯型電子端末である携帯電話１０３（１０３ａ，１０３ｂ，・・・，１０３ｘ）には、ブラウジング機能などのインターネットに対する操作のための特殊な機能が搭載されている。なお、携帯電話１０３には、ＰＨＳ（Personal Handyphone System）端末も含まれるものとする。このような携帯電話１０３には、ＬＣＤ（Liquid Crystal Display）等の表示部１０４、入力部として機能する各種キーを備えたキーボード１０５が設けられている。
【００２２】
続いて、ＰＯＳシステム５を構成するＰＯＳ端末２について説明する。ＰＯＳ端末２は、店舗の精算場所に配設されてキャッシャが売上処理を行うためのものであり、図２に示すような構成とされている。ＰＯＳ端末２には、本体８の上面側にキーボード９が設けられており、本体８の下部側にはドロワ１０が引出自在に設けられている。また、本体８の奥側には表示器１１が設けられている。さらには、磁気カード製の会員カード（図示せず）の読み取りを行うための磁気カードリーダ１２がキーボード９の脇に並設されている。
【００２３】
さらに、ＰＯＳ端末２には、商品コード等を光学的に読み取るためのコード読取装置であるコードスキャナ１３も接続されている。このコードスキャナ１３は、一台で、商品コード等のバーコード（１次元コード）、及び後述する２次元コードＣ(図６参照)のスキャニングが可能なマルチコードスキャナである。
【００２４】
このようなＰＯＳ端末２の電装系は図３に示すように構成されている。ＰＯＳ端末２は、ＣＰＵ（Central Processing Unit）、制御プログラムを格納するＲＯＭ（Read Only Memory）、ＲＡＭ（Random Access Memory）等で構成されるＰＯＳ制御部１４と、不揮発性ＲＯＭ等で構成されるメモリ部１５とを保有し、バス１６を介して接続された通信インタフェース１７から、ＬＡＮ３を介してホストコンピュータ４との間で相互にオンライン通信を実行し得るように構成されている。そして、ＰＯＳ制御部１４は、ＣＰＵがＲＯＭの制御プログラムに従って動作することにより、後述する２次元コード読取手段、クーポン値引き照合手段及びクーポン値引き手段を実現する。
【００２５】
また、ＰＯＳ制御部１４には、バス１６及びＩ／Ｏ機器制御部１８を介して、前述したキーボード９、表示器１１、磁気カードリーダ１２、コードスキャナ１３とともにプリンタ１９が接続されている。このプリンタ１９は、ＰＯＳ端末２の本体８内に内蔵されたレシート／ジャーナルプリンタであり、売上処理に伴い、取引単位でレシートを発行するとともに、並行してジャーナル用紙への印字を行うものである。
【００２６】
次に、ホストコンピュータ４について説明する。ホストコンピュータ４は、ＰＯＳシステム５全体の制御を受持ち、その電装系は、例えば、図４に示すような構成とされている。ホストコンピュータ４は、ＣＰＵ、ＲＯＭ、ＲＡＭ等で構成される制御部２０と、不揮発性ＲＯＭ等で構成されるメモリ部２１とを保有し、バス２２を介して接続された通信インタフェース２３ａから、ＬＡＮ３を介して複数台のＰＯＳ端末２との間で相互にオンライン通信を実行し得るように構成されている。また、制御部２０には、インターネット網１００に接続するための通信インタフェース２３ｂもバス２２を介して接続されている。さらに、制御部２０にはバス２２及びＩ／Ｏ機器制御部２４を介して、キーボード２５、表示器２６、プリンタ２７及びＨＤＤ（Hard Disk Drive）２８が接続されている。ＨＤＤ２８には、制御部２０のＣＰＵを動作させる制御プログラムの他、商品マスタファイルＦ１、売上ファイルＦ２等が格納されている。なお、商品マスタファイルＦ１は商品コードに対応付けて商品名や単価を記憶するもの、売上ファイルＦ２は各ＰＯＳ端末２から送信される売上登録データを記憶するものである。また、商品マスタファイルＦ１は、各ＰＯＳ端末２に備えられるものであっても良い。
【００２７】
以上のようなＰＯＳ端末２とホストコンピュータ４とで構成されるＰＯＳシステム５の売上処理の際の動作について簡単に説明する。例えば商品に付された商品コードがＰＯＳ端末２のコードスキャナ１３によって読み取られると、ＰＯＳ端末２は読み取った商品コードをホストコンピュータ４に問い合わせる。そして、商品コードを問い合わせられたホストコンピュータ４側においては、ＰＯＳ端末２からの問い合わせにより商品マスタファイルＦ１を検索し、該当する商品コードに対応した商品名や単価等を読み出してＰＯＳ端末２へ送信する。また、ＰＯＳ端末２は、ホストコンピュータ４からの商品名や単価等を受信し、問い合わせした商品コード及び受信した商品名や単価等に基づいて売上登録するとともに、部門別登録や表示器１１への表示、またプリンタ１９により印字出力を行い、さらに売上登録した売上登録データをホストコンピュータ４へ送信する。さらに、ＰＯＳ端末２から売上登録した売上登録データを送信されたホストコンピュータ４側では、ＰＯＳ端末２からの売上登録データを売上ファイルＦ２に累計する。
【００２８】
続いて、商品販売システム１を構成する携帯電話１０３について図５を参照しつつ説明する。本実施の形態の携帯電話１０３は、その外観等については周知のものと何ら変わるものではないため説明を省略する。図５に示すように、携帯電話１０３にはMicrocomputer（以下、マイコンという。）１０６が備えられており、このマイコン１０６が、電話機能を発揮する通信制御部１０７、表示部１０４、各種キーを備えたキーボード１０５等の各部を駆動制御する。マイコン１０６は、各部を集中的に制御するＣＰＵ１０８にバスライン１０９を介して、マイコン１０６を動作させる制御プログラム等の固定的データを予め格納するＲＯＭ１１０と各種データを書き換え自在に格納するワークエリアとして機能するＲＡＭ１１１とが接続されて構成されている。加えて、バスライン１０９には、表示データ等を高速展開するＶＲＡＭ（Video Random Access Memory）１１２や不揮発性のフラッシュメモリ１１３が接続されている。フラッシュメモリ１１３には、クーポン券として機能する２次元コードを記憶するクーポン券記憶エリア１１３ａが設けられている。ここで、クーポン券記憶エリア１１３ａに記憶されている２次元コードは、ＰＯＳシステム５のホストコンピュータ４からインターネット網１００を介して配信されるものであっても良いし、携帯電話１０３からインターネット網１００を介してＰＯＳシステム５のホストコンピュータ４から取得したものであっても良い。
【００２９】
このような構成により、ＣＰＵ１０８はＲＯＭ１１０の制御プログラムに従って動作することにより、顧客による携帯電話１０３のキーボード１０５の操作により表示要求があった場合には、クーポン券記憶エリア１１３ａに記憶した２次元コードＣを携帯電話１０３の表示部１０４に表示させることが可能である（図７参照）。つまり、クーポン券として機能する２次元コードＣを携帯電話１０３に格納した顧客は、このクーポン券として機能する２次元コードＣが格納されている携帯電話１０３を持ってスーパーマーケットに出向き、その携帯電話１０３のキーボード１０５を操作して２次元コードＣを表示部１０４に再び表示させることにより、クーポン値引きを受けることが可能になっている。
【００３０】
ここで、携帯電話１０３の表示部１０４に表示されるクーポン券として機能する２次元コードＣには、クーポン券であることを示すコードの他、当該クーポン値引き対象商品の商品コードや商品名、値引き額、有効期限等が格納されている。なお、２次元コードＣに格納されるクーポン値引き対象商品の情報は、一つに限るものではなく、複数のクーポン値引き対象商品の情報が合成されて格納されているものであっても良い。
【００３１】
なお、図６には、２次元コードＣの一例としてデータコードを記載したが、これに限るものではなく、ベリコード、ＱＲコード、マキシコード、ＰＤＦ４１７等の各種２次元コードであっても何ら問題はない。
【００３２】
続いて、本実施の形態の商品販売システム１が備える特長的な機能について以下において詳細に説明する。なお、従来から行なわれている処理と同様の処理についてはその説明を省略する。ここでは、本実施の形態の商品販売システム１が備える特長的な機能を実現するクーポン券値引き処理について、ＰＯＳ端末２のＰＯＳ制御部１４側の制御処理を示す図７のフローチャートを参照して説明する。
【００３３】
図７に示すように、ＰＯＳ端末２のＰＯＳ制御部１４は、コードスキャナ１３によるコードスキャンに待機しており（ステップＳ１）、コードスキャナ１３によるコードスキャンが有ったと判断した場合には（ステップＳ１のＹ）、コードスキャナ１３により読み取られたコードが商品の売上登録に用いる商品コードなのか、クーポン券として機能する２次元コードＣなのかを判断する（ステップＳ２）。
【００３４】
コードスキャナ１３により読み取られたコードが売上商品についての商品コードであった場合には、ステップＳ３において売上登録処理が実行される。この売上登録処理では、前述したように、入力された商品コードに基づいて商品マスタファイルＦ１を検索して取得した商品名や単価等に基づいて各種の登録処理を行う。
【００３５】
一方、このような売上登録処理の際に、携帯電話１０３の表示部１０４に表示されている２次元コードＣが顧客により提示され、この２次元コードＣをコードスキャナ１３によって読み取った場合には、ステップＳ４に進むことになる。ここに、２次元コード読取手段の機能が実行される。
【００３６】
ＰＯＳ制御部１４は、読み取られた２次元コードＣに格納されている各種データをメモリ部１５に格納するとともに（ステップＳ４）、そのメモリ部１５に格納された各種データに含まれる少なくとも１以上のクーポン値引き対象商品の商品コードの中に売上登録処理された商品の商品コードに一致するものがあるか否かを照合する照合処理を実行する（ステップＳ５）。ここに、クーポン値引き照合手段の機能が実行される。
【００３７】
照合処理の結果、売上登録処理された商品の中に少なくとも１以上のクーポン値引き対象商品が有る場合には（ステップＳ６のＹ）、当該クーポン値引き対象商品に係るデータ（クーポン値引き対象商品の商品コードや商品名、値引き額、有効期限等）を抽出する（ステップＳ７）。なお、照合処理の結果、売上登録処理された商品の中にクーポン値引き対象商品が無い場合には（ステップＳ６のＮ）、値引き処理は行われない。
【００３８】
その後、ステップＳ８において有効期限内であるか否かを抽出したクーポン値引き対象商品クーポンに係るデータに基づいて判別し、有効期限内であれば（ステップＳ８のＹ）、クーポン値引き対象商品について所定の値引き額だけ値引いて登録する（ステップＳ９）。ここに、クーポン値引き手段の機能が実行される。なお、有効期限内でない場合には（ステップＳ８のＮ）、値引き処理は行われない。
【００３９】
このようなステップＳ１〜Ｓ９の処理は、キーボード９に設けられた預／現計キー等が操作されて締めが宣言されたと判断される迄（ステップＳ１０のＹ）、繰り返される。
【００４０】
キーボード９に設けられた預／現計キー等が操作されて締めが宣言された場合には（ステップＳ１０のＹ）、プリンタ１９によるレシートの印字出力や、売上登録した売上登録データをホストコンピュータ４へ送信する等の締め処理を実行する。
【００４１】
ここに、携帯電話１０３の表示部１０４に表示された２次元コードＣにはクーポン値引き対象商品の商品コードと値引き額とを有するクーポン値引き情報を少なくとも１以上含むことから、読み取った２次元コードＣに含まれるクーポン値引き対象商品の商品コードと入力された商品コードとを照合し、読み取った２次元コードＣに含まれるクーポン値引き対象商品の商品コードの何れか一に入力された商品コードが該当すると判断した場合に、値引きを実行する。これにより、たとえ複数のクーポン値引き情報を有している場合であっても一回の読取動作でクーポン値引きを行うことができるので、クーポン値引き情報の読取作業にかかる時間を短縮することができ、業務効率の向上を図ることができる。
【００４２】
なお、本実施の形態においては、携帯電話１０３の表示部１０４にクーポン券として機能する２次元コードＣを表示させ、この２次元コードＣをコードスキャナ１３により読み取ってクーポン券値引き処理を行うようにしたが、これに限るものではない。例えば、クーポン券として機能する２次元コードＣが予め印刷されているクーポン券を用いても良いし、あるいは、プリンタ装置が接続されたパーソナルコンピュータに対してＰＯＳシステム５のホストコンピュータ４からインターネット網１００を介して２次元コードＣを配信したりパーソナルコンピュータからインターネット網１００を介してＰＯＳシステム５のホストコンピュータ４にアクセスして２次元コードＣを取得し、プリンタ装置からプリントアウトした２次元コードＣを用いるようにしても良い。
【００４３】
また、本実施の形態においては、商品販売データ処理装置としてＰＯＳ端末２を適用したがこれに限るものではない。例えば、複数台のＰＯＳ端末２とホストコンピュータ４とで構成されるＰＯＳシステム５を商品販売データ処理装置として適用しても良い。
【００４４】
次に、本発明の第二の実施の形態について図８ないし図１０を参照して説明する。なお、前述した第一の実施の形態と同一部分は同一符号で示し説明も省略する。第一の実施の形態で示した携帯電話１０３では２次元コードＣをインターネット網１００を介したＰＯＳシステム５のホストコンピュータ４からの配信や、インターネット網１００を介してＰＯＳシステム５のホストコンピュータ４に携帯電話１０３からアクセスして取得することにより表示部１０４に表示させるようにしていたが、本実施の形態においては、携帯電話１０３側で２次元コードＣを作成するようにした点で第一の実施の形態とは異なるものである。
【００４５】
図８に示すように、本実施の形態の携帯電話１０３のフラッシュメモリ１１３には、第一の実施の形態において説明したクーポン券として機能する２次元コードＣを記憶するクーポン券記憶エリア１１３ａの他、少なくとも１以上のクーポン情報（クーポン値引き対象商品の商品コードや商品名、値引き額、有効期限等）を記憶するクーポン情報記憶エリア１１３ｂが設けられている。このクーポン情報は、ＰＯＳシステム５のホストコンピュータ４からインターネット網１００を介して配信されるものであっても良いし、携帯電話１０３からインターネット網１００を介してＰＯＳシステム５のホストコンピュータ４から取得したものであっても良い。
【００４６】
また、ＲＯＭ１１０にはマイコン１０６を動作させる制御プログラムが格納されているが、本実施の形態の携帯電話１０３が備える特長的な機能である２次元コード作成機能を実現するプログラムも制御プログラムとしてＲＯＭ１１０に格納されている。
【００４７】
続いて、本実施の形態の携帯電話１０３が備える特長的な機能である２次元コード作成機能について図９のフローチャートを参照して以下において詳細に説明する。なお、２次元コード作成処理は、携帯電話１０３でのキーボード１０５の操作により、図１０（ａ）に示す動作モードの選択を要求するメニュー画面ａが携帯電話１０３の表示部１０４に表示されている場合に実行されるものである。
【００４８】
図１０（ａ）に示すメニュー画面ａが表示されている状態で、「クーポン」のメニューが指定されると(ステップＳ２０のＹ)、「データフォルダにｎ（本実施の形態では２）件の請求データがあります。２次元コードを作成しますか？」等の操作ガイダンスｇと、「作成する」，「作成しない」等の選択肢ｓが表示された２次元コード作成確認画面ｂを表示部１０４に表示する(ステップＳ２１)。
【００４９】
図１０（ｂ）に示す２次元コード作成確認画面ｂを表示部１０４に表示した状態で、キーボード１０５の操作により、「作成する」または「作成しない」のいずれか一方の選択肢ｓが指定されたと判断するまで待機し(ステップＳ２２のＮ，ステップＳ２３のＮ)、「作成する」の選択肢ｓが指定されたと判断した場合には(ステップＳ２２のＹ)、クーポン情報記憶エリア１１３ｂを参照して、クーポン情報記憶エリア１１３ｂに記憶された少なくとも１以上のクーポン情報に基づいて、２次元コードＣを作成し(ステップＳ２４：２次元コード作成手段)、図１０（ｃ）に示すように作成した２次元コードＣを表示部１０４に表示させるとともに、作成した２次元コードＣをクーポン券記憶エリア１１３ａに記憶する(ステップＳ２５)。
【００５０】
一方、「作成しない」の選択肢ｓが指定されたと判断した場合には(ステップＳ２３のＹ)、そのまま処理を終了する。
【００５１】
このようにしてクーポン券として機能する２次元コードＣを作成した顧客は、このクーポン券として機能する２次元コードＣが格納されている携帯電話１０３を持ってスーパーマーケットに出向き、その携帯電話１０３のキーボード１０５を操作して２次元コードＣを表示部１０４に再び表示させることにより、クーポン値引きを受けることが可能になっている。ここに、２次元コード表示手段が実現されている。
【００５２】
ここに、複数のクーポン値引き情報を組み合わせて一つの２次元コードＣを作成し、表示部１０４に表示することにより、この２次元コードＣを読み取るだけで全てのクーポン値引き情報を取得することができるようになるので、クーポン値引き情報の読取作業にかかる時間を短縮することができ、業務効率の向上を図ることができる。
【００５３】
なお、本実施の形態では、２次元コード作成機能を実現するプログラムをＲＯＭ１１０に予め格納するようにしたが、これに限るものではなく、例えばホストコンピュータ４から２次元コードＣを作成するためのプログラムを２次元コード作成の度にダウンロードするようにしても良い。
【００５４】
また、各実施の形態においては、携帯型電子端末として携帯電話１０３を適用したが、これに限るものではなく、通信機能を備えることを条件として、ノート型パーソナルコンピュータやＰＤＡ（Personal Digital Assistants）と称される携帯用情報端末等を適用しても良い。
【００５５】
【発明の効果】
請求項１記載の発明によれば、入力された商品コードに基づいて商品販売処理する商品販売データ処理装置において、クーポン値引き対象商品の商品コードと値引き額とを有するクーポン値引き情報を複数含んでクーポン券として機能する２次元コードを読み取る２次元コード読取手段と、入力された前記商品コードが、前記２次元コード読取手段により読み取られた前記２次元コードに含まれる少なくとも１以上の前記クーポン値引き対象商品の商品コードに該当するか否かを照合するクーポン値引き照合手段と、このクーポン値引き照合手段による照合の結果、入力された前記商品コードが、前記２次元コード読取手段により読み取られた前記２次元コードに含まれる前記クーポン値引き対象商品の商品コードの何れか一に該当すると判断した場合、前記クーポン値引き対象商品について前記値引き額を値引くクーポン値引き手段と、を備え、クーポン券として機能する２次元コードにはクーポン値引き対象商品の商品コードと値引き額とを有するクーポン値引き情報を少なくとも１以上含むことから、読み取った２次元コードに含まれるクーポン値引き対象商品の商品コードと入力された商品コードとを照合し、読み取った２次元コードに含まれるクーポン値引き対象商品の商品コードの何れか一に入力された商品コードが該当すると判断した場合に、値引きを実行することにより、たとえ複数のクーポン値引き情報を有している場合であっても一回の読取動作でクーポン値引きを行うことができるので、クーポン値引き情報の読取作業にかかる時間を短縮することができ、業務効率の向上を図ることができる。
【００５６】
請求項２記載の発明によれば、表示部に各種データを表示可能な携帯型電子端末において、クーポン値引き対象商品の商品コードと値引き額とを有するクーポン値引き情報を少なくとも1以上記憶するクーポン情報記憶エリアと、前記クーポン情報記憶エリアに記憶したクーポン値引き情報を複数組合せた２次元コードを作成する２次元コード作成手段と、この２次元コード作成手段により作成された前記２次元コードを表示部に表示させる２次元コード表示手段と、を備え、複数のクーポン値引き情報を組み合わせて一つの２次元コードを作成し、表示部に表示することにより、この２次元コードを読み取るだけで全てのクーポン値引き情報を取得することができるようになるので、クーポン値引き情報の読取作業にかかる時間を短縮することができ、業務効率の向上を図ることができる。
【００５７】
請求項３記載の発明の商品販売システムによれば、請求項１記載の商品販売データ処理装置と、請求項２記載の携帯型電子端末と、を備え、携帯型電子端末の表示部に表示された２次元コードにはクーポン値引き対象商品の商品コードと値引き額とを有するクーポン値引き情報を少なくとも１以上含むことから、読み取った２次元コードに含まれるクーポン値引き対象商品の商品コードと入力された商品コードとを照合し、読み取った２次元コードに含まれるクーポン値引き対象商品の商品コードの何れか一に入力された商品コードが該当すると判断した場合に、値引きを実行することにより、たとえ複数のクーポン値引き情報を有している場合であっても一回の読取動作でクーポン値引きを行うことができるので、クーポン値引き情報の読取作業にかかる時間を短縮することができ、業務効率の向上を図ることができる。
【００５８】
請求項４記載の発明によれば、入力された商品コードに基づいて商品販売処理する商品販売データ処理装置と、表示部に各種データを表示可能な携帯型電子端末と、を備える商品販売システムにおいて用いられ、プロセッサ演算処理により実現されるクーポン値引き方法であって、前記携帯型電子端末の表示部にクーポン値引き対象商品の商品コードと値引き額とを有するクーポン値引き情報を複数含んでクーポン券として機能する２次元コードを表示させる２次元コード表示制御工程と、前記携帯型電子端末の表示部に表示されている前記２次元コードをコード読取装置を用いて読み取る２次元コード読取制御工程と、前記商品販売データ処理装置で入力された前記商品コードが、前記２次元コード読取制御工程により読み取られた前記２次元コードに含まれる少なくとも１以上の前記クーポン値引き対象商品の商品コードに該当するか否かを照合するクーポン値引き照合制御工程と、このクーポン値引き照合制御工程による照合の結果、入力された前記商品コードが、前記２次元コード読取制御工程により読み取られた前記２次元コードに含まれる前記クーポン値引き対象商品の商品コードの何れか一に該当すると判断した場合、前記クーポン値引き対象商品について前記値引き額を値引くクーポン値引き制御工程と、を含み、携帯型電子端末の表示部に表示された２次元コードにはクーポン値引き対象商品の商品コードと値引き額とを有するクーポン値引き情報を少なくとも１以上含むことから、読み取った２次元コードに含まれるクーポン値引き対象商品の商品コードと入力された商品コードとを照合し、読み取った２次元コードに含まれるクーポン値引き対象商品の商品コードの何れか一に入力された商品コードが該当すると判断した場合に、値引きを実行することにより、たとえ複数のクーポン値引き情報を有している場合であっても一回の読取動作でクーポン値引きを行うことができるので、クーポン値引き情報の読取作業にかかる時間を短縮することができ、業務効率の向上を図ることができる。
【００５９】
請求項５記載の発明によれば、入力された商品コードに基づいて商品販売処理する商品販売データ処理装置が備えるコンピュータを制御するプログラムであって、クーポン値引き対象商品の商品コードと値引き額とを有するクーポン値引き情報を複数含んでクーポン券として機能する２次元コードを読み取る２次元コード読取機能と、入力された前記商品コードが、前記２次元コード読取機能により読み取られた前記２次元コードに含まれる少なくとも１以上の前記クーポン値引き対象商品の商品コードに該当するか否かを照合するクーポン値引き照合機能と、このクーポン値引き照合機能による照合の結果、入力された前記商品コードが、前記２次元コード読取機能により読み取られた前記２次元コードに含まれる前記クーポン値引き対象商品の商品コードの何れか一に該当すると判断した場合、前記クーポン値引き対象商品について前記値引き額を値引くクーポン値引き機能と、を前記コンピュータに実行させ、クーポン券として機能する２次元コードにはクーポン値引き対象商品の商品コードと値引き額とを有するクーポン値引き情報を少なくとも１以上含むことから、読み取った２次元コードに含まれるクーポン値引き対象商品の商品コードと入力された商品コードとを照合し、読み取った２次元コードに含まれるクーポン値引き対象商品の商品コードの何れか一に入力された商品コードが該当すると判断した場合に、値引きを実行することにより、たとえ複数のクーポン値引き情報を有している場合であっても一回の読取動作でクーポン値引きを行うことができるので、クーポン値引き情報の読取作業にかかる時間を短縮することができ、業務効率の向上を図ることができる。
【図面の簡単な説明】
【図１】本発明の第一の実施の形態の商品販売システムの全体構成を概略的に示すシステム構成図である。
【図２】ＰＯＳ端末の構成を概略的に示す外観斜視図である。
【図３】ＰＯＳ端末の電装系の構成を示すブロック図である。
【図４】ホストコンピュータの電装系の構成を示すブロック図である。
【図５】携帯電話の電装系の構成を示すブロック図である。
【図６】２次元コードが表示された状態の携帯電話を示す外観斜視図である。
【図７】ＰＯＳ端末のＰＯＳ制御部側の制御処理を示すフローチャートである。
【図８】本発明の第二の実施の形態の商品販売システムに用いられる携帯電話の電装系の構成を示すブロック図である。
【図９】２次元コード作成処理の流れを示すフローチャートである。
【図１０】携帯電話の表示画面を操作順に示す正面図である。
【符号の説明】
１        商品販売システム
５        商品販売データ処理装置
１３      コード読取装置
１０３      携帯型電子端末
１０４      表示部
Ｃ        ２次元コード
【図１】
0003802768.tif 000002
【図２】
0003802768.tif 000003
【図３】
0003802768.tif 000004
【図４】
0003802768.tif 000005
【図５】
0003802768.tif 000006
【図６】
0003802768.tif 000007
【図７】
0003802768.tif 000008
【図８】
0003802768.tif 000009
【図９】
0003802768.tif 000010
【図１０】
0003802768.tif 000011